(57)【特許請求の範囲】
【請求項１】
被検眼を撮影する撮影手段と、
前記撮影手段により撮影した前記被検眼の静止画像の全体像と該静止画像の所定範囲を拡大した拡大画像とを表示手段に表示させる処理手段と、
前記処理手段が前記全体像を前記表示手段に表示させてから所定時間経過したら前記全体像から前記拡大画像に切り換えた後に、前記全体像の良否いずれかを示す信号を入力する入力手段と、
前記拡大画像が前記表示手段に表示されている際に前記入力手段により前記良を示す信号が入力された場合に、前記全体像を保存手段に保存させる手段と、
を有することを特徴とする眼科撮影装置。
【請求項２】
前記入力手段は、前記撮影手段により前記被検眼を撮影するための信号を入力する撮影スイッチを有し、
前記保存させる手段は、前記拡大画像が前記表示手段に表示されている際に前記撮影スイッチにより信号が入力された場合に、前記全体像を前記保存手段に保存させることを特徴とする請求項１に記載の眼科撮影装置。
【請求項３】
前記入力手段により前記否を示す信号が入力された場合に前記全体像を一時的に記憶している記憶手段から消去する消去手段を有することを特徴とする請求項１あるいは２に記載の眼科撮影装置。
【請求項４】
前記処理手段は、前記入力手段により前記否を示す信号が入力された場合に前記被検眼を再撮影可能な状態にすることを特徴とする請求項１乃至３のいずれか１項に記載の眼科撮影装置。
【請求項５】
前記処理手段は、前記被検眼が左右何れの眼であるかの情報に基づいて前記所定範囲を決定することを特徴とする請求項１乃至４のいずれか１項に記載の眼科撮影装置。
【請求項６】
前記被検眼が左右何れの眼であるかを検出する左右眼検出手段を有し、
前記処理手段は、前記左右眼検出手段の検出結果に基づいて前記所定範囲を決定することを特徴とする請求項５に記載の眼科撮影装置。
【請求項７】
前記被検眼を固視させる固視手段を有し、
前記処理手段は、前記左右眼検出手段の検出結果に応じて前記固視手段を制御することを特徴とする請求項６に記載の眼科撮影装置。
【請求項８】
前記処理手段は、前記左右眼検出手段の検出結果及び前記被検眼の固視位置情報に基づいて前記所定範囲を決定することを特徴とする請求項６あるいは７に記載の眼科撮影装置。
【発明の詳細な説明】
【０００１】
【発明の属する技術分野】
本発明は、眼科医院、集団検診、人間ドックなどにおいて眼底検査等に使用される眼科撮影装置に関するものである。
【０００２】
【従来の技術】
近年、撮像カメラと撮影した画像を表示するモニタを搭載した眼底カメラが使われるようになってきた。これは撮影者が撮影画像をその場で確認できる利点と外部に大きなモニタを設置する必要がなく省スペースになる利点がある。通常では、撮影者は撮影した画像の臨床評価は行わず、フレアが入ったとか瞬きがあったとかのように、撮影が成功したか否かの判断を行っている。もし、撮影が失敗すると再撮影を行う。
【０００３】
【発明が解決しようとする課題】
しかしながら、眼底カメラに搭載するモニタには撮影した画像全体を表示しているため、フレアや瞬目したかどうかの確認はできるが、ピントの善し悪しは判別できない。
【０００４】
この問題を解決する方法として、特開平９−２３８９０６号公報に開示の方法が考えられている。つまり、一度全体画像を表示した後で、別のスイッチ操作で拡大範囲を表示させ、その拡大位置をスクロールしてピントの確認に都合の良い血管などに合わせてから、また別の操作で拡大表示するようにする。しかし、この場合にはその都度、カーソルにより拡大位置を合わせたりなどのスイッチ操作が複雑になり、撮影時間が増大し患者に負担が増える問題がある。２〜３人の撮影ならば支障はないとしても、１日に何１０人から２００人程度撮影する集団検診では、操作が煩雑で実用に耐えられない。更に、このような操作を行うスイッチ類が増加し、処理制御回路が複雑になり、装置が高価になる問題もある。
【０００５】
本発明の目的は、上述の課題を解決し、撮像した画像を容易にチェックできる眼科撮影装置を提供することにある。
【０００６】
【課題を解決するための手段】
上記目的を達成するための本発明に係る眼科撮影装置は、被検眼像を撮影する撮影手段と、該撮影手段により撮影した静止画像を表示する表示手段とを有する眼科撮影装置において、前記撮影手段で得られた前記静止画像の全体像と該画像の所定範囲を拡大した拡大画像とを前記表示手段に表示する処理手段を有することを特徴とする。
【０００７】
また、本発明に係る眼科撮影装置は、被検眼像を撮影する撮影手段と、該撮影手段により撮影した静止画像を表示する表示手段とを有する眼科撮影装置において、前記撮影手段で得られた前記静止画像の全体像と該画像の所定範囲を拡大した拡大画像とを順次に切換えて前記表示手段に表示する処理手段を有することを特徴とする。
【０００８】
【発明の実施の形態】
本発明を図示の実施の形態に基づいて詳細に説明する。
図１は構成図を示し、基台１の上にステージ部２を載せ、更にその上に検眼部３を載置する。ステージ部２には、撮影スイッチ４を取り付けた操作桿５、スイッチパネル６を設ける。検眼部３内には光学系、電気系を組み込み、検眼部３内の被検眼Ｅに対向する対物レンズ１０の光路上には、孔あきミラー１１、合焦用レンズ１２、撮影レンズ１３、撮像カメラ１４を配列する。孔あきミラー１１の反射方向にはリレーレンズ１５、ミラー１６、撮影用光源１７、コンデンサレンズ１８、観察用光源１９を順次に配列する。
【０００９】
撮像カメラ１４からの撮影画像に関する出力は、フレームメモリ２０を介して制御処理部２１、モニタ２２に接続する。制御処理部２１には、撮影スイッチ４、スイッチパネル６、検眼部３の左右方向の移動により被検眼Ｅが左右何れの眼であるかを検出する左右眼検出スイッチ２３を接続する。
【００１０】
なお図示は省略するが、被検眼Ｅの視軸を固定するために検眼部３内に固視灯を設け、この固視灯は左右眼検出スイッチ２３の状態に応じて切換わる。更に、観察用光源１９や撮影用光源１７を制御したり、電源を供給したり、或いは撮影した画像を記憶する保存装置などを設けているが、これらは従来の眼科用カメラにおいて周知であるため特に記述はしない。
【００１１】
観察用光源１９を発光して、レンズ１８、１５、孔あきミラー１１、対物レンズ１０を介して被検眼Ｅの眼底Ｅｒを照明する。眼底Ｅｒからの反射光は対物レンズ１０、孔あきミラー１１の孔部、レンズ１２、１３を介して撮像カメラ１４で画像データが得られ、この画像データはモニタ２２に映出される。撮影者はモニタ２２の映像を見ながら操作桿５を操作して被検眼Ｅとのアライメントを行い、アライメントが合ったところで撮影スイッチ４を押すと、制御処理部２１が検知して撮影用光源１７を発光する。
【００１２】
撮影用光源１７を出射した光束は、上述の観察光と同様の光路を辿って被検眼Ｅの眼底Ｅｒに至り、眼底像は同様にして撮像カメラ１４に導かれる。撮像カメラ１４からの映像データはフレームメモリ２０に記憶される。更に、撮影と同時に左右眼検出スイッチ２３からの信号も制御処理部２１に記憶される。制御処理部２１はこの左右情報から被検眼Ｅのどの方向をどの方向を撮影したかを判定して、フレームメモリ２０に記憶されている画像中の拡大位置を算出し、拡大処理をフレームメモリ２０に行わせ、全体画像と拡大画像をモニタ２２に表示する。
【００１３】
なお、全体像は表示サイズがモニタ２２の解像力に合うようにフィッティングされる。つまり、撮影データの方がサイズが大きい場合に縮小処理が行われ、逆に小さければ拡大処理が行われる。
【００１４】
図２は上述した撮影画像をモニタ２２に表示する際の動作のフローチャート図である。ステップＳ１の「全体と指定エリアを合成表示」することにより、図３（ａ）に示す画面がモニタ２２に映し出される。これは右眼を撮影した場合であり、全体像は図３（ｂ）に示すような画像になる。左眼のときは図３（ｃ）に示す画像になる。左右眼では乳頭部Ａと黄斑Ｂの位置が異なるが、何れも両部位が同じように配置されるように、眼底カメラ内の固視灯が切換わる。患者がこの固視灯を注視した状態で撮影すると、図３（ｂ）、図３（ｃ）に示す構図で撮影が行われる。
【００１５】
左右眼の判別が得られれば拡大する指定エリアＣは決まる。この指定エリアＣは血管が集中しているため、ピントの確認が容易であるためである。個人差などで多少眼底Ｅｒがずれても、乳頭部Ａは指定エリアＣに入るので問題はない。拡大画像を作成し全体像と合成し、図３（ａ）に示すように表示する。拡大像のサイズを１／４にすることで、全体像と拡大像を同時に観察ができる。
【００１６】
撮影中の瞬きやアライメント不良時に入るフレアは周辺（縁部）から入射する。瞬きは上部から入るので全体像の上部は表示する必要があり、またフレアはセンタに点対称で入るので、下部は半分表示しておけば確認が可能である。拡大部はピントを確認するので、血管が複数本入れば確認できる。
【００１７】
図３（ａ）の画像から撮影の良否を確認し、ステップＳ２で「ＯＫ／ＮＧ？」に応答する。ＯＫならばステップＳ３で撮影スイッチを押せば撮影画像は保存され撮影は終了し、次の患者の撮影準備に取りかかる。ＮＧならば、ステップＳ４で別のスイッチを押し、画像を消去し再度撮影を繰り返す。
【００１８】
図４のフローチャート図は別の実施の形態を示し、眼底Ｅｒを撮影するまでは上述した説明と同じである。表示スタートの次のステップ１０で、図５（ａ）に示す全体像の画像がモニタ２２に表示される。次のステップＳ１１でスイッチ応答を待つが、このステップＳ１１は所定時間経過したら切換えてもよい。次のステップＳ１１で、図５（ｂ）に示すように指定エリアＣを拡大した画像を表示する。この指定エリアＣは撮影時に記憶した左右眼検出スイッチ２３の状態から決まる。
【００１９】
次のステップＳ１３で、全体像と拡大像の良否を確認し「ＯＫ／ＮＧ？」応答する。ＯＫならばステップＳ１４で画像を保存して終了し、ＮＧならばステップＳ１５で画像を消去して再度撮影を繰り返す。
【００２０】
なお、固視灯の位置は左右眼検出スイッチ２３の状態で切換わるようになっているが、左右毎に設けてもどの固視灯が選択されているかが分かれば、乳頭部Ａの入る範囲はほぼ決まるため、全体像と拡大像を同時に表示又は交互に切換えて表示することは可能である。
【００２１】
【発明の効果】
以上説明したように本発明に係る眼科撮影装置は、複雑な操作をしなくとも撮影した画像の状態をチェックできるため、診断価値のある画像を安定して撮影することができる。また、画像の状態を撮影時にチェックできるため、無駄な再撮影がなくなり患者への負担をなくすこともできる。
【図面の簡単な説明】
【図１】構成図である。
【図２】実施の形態のフローチャート図である。
【図３】モニタ画面の説明図である。
【図４】他の実施の形態のフローチャート図である。
【図５】モニタ画面の説明図である。
【符号の説明】
２  ステージ部
５  操作桿
１０  対物レンズ
１１  孔あきミラー
１４  撮影カメラ
１７  撮影用光源
１９  観察用光源
２０  フレームメモリ
２１  制御処理部
２２  モニタ
２３  左右眼検出スイッチ
【図１】
0005020447.tif 000002
【図２】
0005020447.tif 000003
【図３】
0005020447.tif 000004
【図４】
0005020447.tif 000005
【図５】
0005020447.tif 000006